(57)【要約】【課題】浄水カートリッジを内蔵しつつ、外観が良く、設置スペースの省スペース化とメンテナンスの円滑化を図ることができる水栓を提供する。【解決手段】水栓ボディ１０と、水栓ボディ１０から供給される水を受け入れ可能なカートリッジ挿入部Ｋが設けられた吐水支持部材（把持部６１）と、吐水口（６２ｗ、６２ｖ）を備える吐水口部材（頭部６２）と、吐水支持部材の着脱口Ｍを通じてカートリッジ挿入部Ｋに挿入される浄水カートリッジ７０を備える。カートリッジ挿入部Ｋには浄水カートリッジ７０にカートリッジ挿入部Ｋの外側に向かう付勢力を負荷する付勢手段（コイルスプリングＢ）が配設される。吐水口部材には付勢力の負荷された浄水カートリッジ７０をカートリッジ挿入部の内側に向かって押圧するための押圧部（後端面Ｅ）が設けられる。【選択図】図７
2008267028.tif 000002
【特許請求の範囲】
【請求項１】
水栓ボディと、
前記水栓ボディから供給される水を受け入れ可能なカートリッジ挿入部が設けられた吐水支持部材と、
前記吐水支持部材に装着されると共に、所定の部位に吐水口を開口させた吐水口部材と、
前記吐水支持部材に設けられた着脱口を通じて前記カートリッジ挿入部に挿入されて前記吐水支持部材に装着されると共に、前記カートリッジ挿入部に受け入れた水を取り入れるための取入部と、該取入部で取り入れた水に浄水処理を施すための浄化部材と、該浄化部材によって浄水処理が施された水を取り出すための取出部と、を具備する浄水カートリッジと、
を備え、前記取出部から取り出された水を、前記吐水口を通じて吐水可能な水栓であって、
前記カートリッジ挿入部には、前記浄水カートリッジに対して前記カートリッジ挿入部の外側に向かう付勢力を負荷するための付勢手段が配設され、
前記吐水口部材には、前記付勢力の負荷された浄水カートリッジを前記カートリッジ挿入部の内側に向かって押圧するための押圧部が設けられることを特徴とする水栓。
【請求項２】
前記付勢手段は、前記カートリッジ挿入部の内壁部と、前記浄水カートリッジとの間に介在されるコイルスプリングであることを特徴とする請求項１に記載の水栓。
【請求項３】
前記吐水口部材は、前記吐水支持部材に対して螺合接続されることを特徴とする請求項１又は２に記載の水栓。
【請求項４】
前記取入部が前記浄水カートリッジの外周部に設けられることを特徴とする請求項１〜３の何れかに記載の水栓。
【請求項５】
前記吐水支持部材は、前記水栓ボディから突出する状態に配設され、
前記水栓ボディ内には、給湯源に連絡される給湯路と給水源に連絡される給水路とが形成されると共に、前記給湯路を通じて供給される湯と前記給水路を通じて供給される水とを所定の混合割合にて混合し、排出口を通じて排出可能な混合弁が配設され、
前記排出口及び前記吐水口を連絡するための原水用の通水路と、前記給水路及び前記取入部を連絡するための浄水用の通水路と、が別々に設けられたことを特徴とする請求項１〜４の何れかに記載の水栓。
【発明の詳細な説明】
【技術分野】
【０００１】
本発明は、水栓に関する。
【背景技術】
【０００２】
近年、水栓において、浄水器（浄水カートリッジ）を一体化することが行われている。例えば、図２４に示すように、水栓ボディ８０と、水栓ボディ８０の側部に一体化された浄水器８２とを備える水栓が提案されている（特許文献１、以下、「従来例」という。）。この水栓ボディ８０には、給湯源から給湯管８１Ｈを用いて供給される湯と、給水源から給水管８１Ｃを用いて供給される水とを混合可能な混合弁が内蔵されている（図示を省略）。また、浄水器８２の内部には、浄水カートリッジ８２ｃが収納されている。
【特許文献１】特開平９−２２８４３７号公報
【発明の開示】
【発明が解決しようとする課題】
【０００３】
しかし、この従来例に係る湯水混合水栓では、浄水器８２が水栓ボディ８０に外付けされた状態となるため、外観（見栄え）が悪いという、問題点を有している。また、水栓ボディ８０の側部に浄水器８２を配設する分だけ、設置スペースが拡大するとう、問題点も有している。
【０００４】
一方、本発明者は、かかる問題点を解決するために、以下に示すような「水栓（以下、「改良例」という。）」を完成し、当該改良例に係る特許出願を行った（特願２００７−４４９８号）。つまり、この改良例に係る水栓は、図２１に示すように、支持部１８５ｂを備える水栓ボディ１８５と、この支持部１８５ａによって着脱可能に支持される吐水支持部材１８６と、この吐水支持部材１８６に着脱可能に支持される吐水ヘッド１８７と、を備えている。
【０００５】
この改良例においては、吐水支持部材１８６を外筒体１８６ａに内筒体１８６ｂを挿入した２重管構造としている。そして、有底の略円筒形状に構成される内筒体１８６ｂの内部空間を用いてカートリッジ挿入部１８８ｓを構成している。また、吐水支持部材１８６には、その突端部で開口する着脱口１８８ｔが設けられ、この着脱口１８８ｔを通じて、浄水カートリッジ１８６ｊをカートリッジ挿入部１８８ｓに挿入したり、カートリッジ挿入部１８８ｓから取り外すことができる。
【０００６】
ところが、この改良例には更に改良の余地がある。つまり、この改良例においては、浄水カートリッジ１８６ｊの交換時等に、浄水カートリッジ１８６ｊがカートリッジ挿入部１８８ｓに入り込んでしまい、浄水カートリッジ１８６ｊを吐水支持部材１８６から取り外することが困難となったり、取り外せなくなる可能性がある。かかる場合、この種の水栓（浄水カートリッジ内蔵式の水栓）のメンテナンスを円滑に行うことが困難となる。
【０００７】
以上のような事情より、この改良例に係る水栓に対して更に改良を加えることが必要である。つまり、前述の従来例の問題点を解決しつつ、改良例に更なる改良を加え、浄水カートリッジ内蔵式の水栓のメンテナンスの円滑化を図ることが必要である。
【０００８】
本発明は、上述の課題を解決するものであり、浄水カートリッジを内蔵しつつ、外観（見栄え）が良く、設置スペースの省スペース化を図ることができると共に、メンテナンスの円滑化を図ることができる水栓を提供することを目的とする。
【課題を解決するための手段】
【０００９】
請求項１の発明の水栓は、
水栓ボディと、
前記水栓ボディから供給される水を受け入れ可能なカートリッジ挿入部が設けられた吐水支持部材と、
前記吐水支持部材に装着されると共に、所定の部位に吐水口を開口させた吐水口部材と、
前記吐水支持部材に設けられた着脱口を通じて前記カートリッジ挿入部に挿入されて前記吐水支持部材に装着されると共に、前記カートリッジ挿入部に受け入れた水を取り入れるための取入部と、該取入部で取り入れた水に浄水処理を施すための浄化部材と、該浄化部材によって浄水処理が施された水を取り出すための取出部と、を具備する浄水カートリッジと、
を備え、前記取出部から取り出された水を、前記吐水口を通じて吐水可能な水栓であって、
前記カートリッジ挿入部には、前記浄水カートリッジに対して前記カートリッジ挿入部の外側に向かう付勢力を負荷するための付勢手段が配設され、
前記吐水口部材には、前記付勢力の負荷された浄水カートリッジを前記カートリッジ挿入部の内側に向かって押圧するための押圧部が設けられることを特徴とする。
【００１０】
請求項１の発明の水栓によると、吐水支持部材内に浄水カートリッジを配設するため、浄水カートリッジ（浄水器）を水栓ボディに外付けすることが必要とされない。このため、外観（見栄え）が良く、設置スペースの省スペース化を図ることができる。また、請求項１の発明の水栓によると、浄水カートリッジの交換作業を円滑に行うことができるため、メンテナンスの円滑化を図ることができる。即ち、吐水口部材を吐水支持部材から取り外したときに、たとえ、浄水カートリッジがカートリッジ挿入部内に残ったとしても、吐水口部材を取り外した段階で、「浄水カートリッジに対する吐水口部材による拘束」が解除される。従って、浄水カートリッジは付勢手段の付勢力によって、「カートリッジ挿入部の外側方向」に押される。換言すると、吐水口部材を取り外せば、浄水カートリッジが付勢手段の付勢力によって作業者（浄水カートリッジの交換作業を行う者）の手元に近づくため、浄水カートリッジの交換作業を円滑に行うことができ、水栓のメンテナンスの円滑化を図ることができる。
【００１１】
ここで、本明細書においては、「混合水」及び「湯水」を以下のように定義する。つまり、「混合水」とは、「湯（給湯源から供給された湯）」及び「水（給水源から供給された水）を混合して生成される「湯水」を指す。また、「湯水」を「水栓が取り扱う流体の総称」として用いる。つまり、「湯水」には、「湯（給湯源から供給された湯）」、「水（給水源から供給された水）」及び「混合水」が含まれる。更に、「原水」とは、「浄水カートリッジ」や「浄水器」を通過せずに（浄化部材で浄化されることなく）、吐水されることになる湯水（湯、水、若しくは、混合水）」を指し、「浄水」とは、「浄水カートリッジや浄水器を通過して吐水される湯水（湯、水、若しくは、混合水）」を指す。
【００１２】
各請求項の発明の水栓は、「水（給水源から供給された水）」及び浄水を扱うが、「湯（給湯源から供給された湯）」や「混合水」を扱わない水栓であってもよいし、「水（給水源から供給された水）」及び浄水と共に「湯（給湯源から供給された湯）」や「混合水」を扱う水栓（湯水混合水栓）であってもよい。
【００１３】
本明細書において、「浄水処理」とは、水道水中から「カルキ分」等の不要成分やトリハロメタン等の有害成分を除去して浄水とする処理等を指す。また、各請求項の発明の「浄水カートリッジ」は、浄化部材（浄化材）のみで構成されてもよいし、この浄化部材（浄化材）と、この浄化部材を被覆する外装体とを備えてもよい。また、この「浄化部材（浄化材、つまり、ろ過材）」としては、（１）活性炭を用いて構成される浄化部材、（２）中空糸膜と、活性炭を用いて構成される浄化部材、（３）セラミックと、活性炭を用いて構成される浄化部材、（４）逆浸透膜と、活性炭を用いて構成される浄化部材等を例示できる。
【００１４】
請求項１〜請求項４の各発明においては、「吐水支持部材」が水栓ボディと一体的に配設されてもよいし、水栓ボディとは別に配設されてもよい。また、各請求項の発明の「吐水支持部材」としては、内部に「湯水の通路」を設けつつ、水栓ボディから突出する部材（特に、筒状の部材）を例示できる。この吐水支持部材は水栓ボディに対して着脱可能とされてもよいし、水栓ボディに対して着脱不可能な状態に装着されてもよいし、水栓ボディに一体的に設けられてもよい。尚、吐水支持部材が「略筒状若しくは略柱状等に構成される本体部（例えば、前述する外筒体）」を備えてもよく、かかる場合、「湯水の通路」は本体部の内部空間を用いて構成されてもよいし、この本体部に挿入される管状体（例えば、ホース）によって構成されてもよい。また、後者の「湯水の通路を管状体によって構成する態様」においては、この管状体を本体部から引き出し可能とするか否かを特に問わない。そして、「管状体を本体部から引き出し可能とする態様」では、浄水カートリッジが管状体と共に引き出し可能とされてもよい。
【００１５】
各請求項の発明の「カートリッジ挿入部」は吐水支持部材に対して浄水カートリッジを挿入可能な空間部（以下、「挿入用空間部」という。）を構成する。この「挿入用空間部」の空間形状は、例えば、浄水カートリッジの外形との関係で定めることができる。例えば、浄水カートリッジが略円柱形状とされる場合、挿入用空間部を「浄水カートリッジの外形と凹凸が反転する略円柱状の形状を備える空間部」として構成することができる。
【００１６】
また、吐水支持部材が「略筒状若しくは略柱状等に構成される本体部（例えば、後述する外筒体）」を備える場合、「カートリッジ挿入部」を本体部に直接設ける態様（以下、「前者の態様」という。）や、「カートリッジ挿入部」を本体部に挿入される別部材によって設ける態様（以下、「後者の態様」という。）を例示することができる。そして、「前者の態様」の具体例としては、本体部にその突端部で開口する挿入用空間部（例えば、挿入穴）を設けることで、「カートリッジ挿入部」を構成するものを例示できる。また、「後者の態様」の具体例としては、本体部（外筒体）を内部に筒状体（例えば、奥端に底部を有する有底の内筒体）を挿入し、この筒状体の内部空間によって挿入用空間部を構成するものを例示することもできる。
【００１７】
吐水口部材としは、吐水ヘッド（シャワーヘッド等）、吐水管、若しくは、「これらの部材（吐水ヘッドや吐水管）を一部に備える部材」を例示できる。また、吐水口の開口箇所としては、「吐水口部材」の端末部を例示できるが、この開口箇所は吐水口部材のその他の箇所（中間部等）であってもよい。尚、吐水ヘッド（例えば、シャワーヘッド）においては、吐水口を吐水フェイス（例えば、シャワーフェイス）によって構成することができる。また、吐水口が複数の部分（以下、「吐水口部分」という。）によって構成される場合、全ての「吐水口部分」が、原水と浄水の吐水を行ってもよいし、原水を吐水するための吐水口部分と、浄水を吐水するための吐水口部分が別々とされてもよい。
【００１８】
尚、吐水口部材を吐水ヘッドによって構成する場合、吐水支持部材を、「吐水ヘッドを着脱自在に支持する把持部（握り部）」によって構成し、吐水ヘッド及び把持部（握り部）の接続品によって吐水具を構成することもできる。この場合、把持部（握り部）が水栓ボディに一体化されたり、水栓ボディに設けられた支持部によって支持されてもよいし、水栓ボディとは別位置に配置された係止具（フック等）によって支持されてもよい。
【００１９】
「付勢手段」の態様は種々例示でき、例えば、コイルバネ、板バネ、「ゴム若しくはエラストマーを用いて構成される弾性体」等を例示できる。この付勢手段によって生ずる付勢力（弾性定数）も種々選択可能である。例えば、押圧部による浄水カートリッジの押圧が解除されたときに、付勢手段によって浄水カートリッジの一部（挿入方向に沿った端末部）を着脱口の外部に押し出すことが可能であることが望ましい。但し、押圧部による押圧が解除されたときに、浄水カートリッジがカートリッジ挿入部に入り込んだままであっても、押圧部による押圧が解除される前に比べて、浄水カートリッジの端部（挿入方向に沿った端末側の端部）と着脱口との距離を狭めることができれば、「浄水カートリッジの交換作業の容易化」の要請を満足させることができる。尚、押圧部による押圧が解除されたときに、浄水カートリッジがカートリッジ挿入部から勢いよく飛び出すと、浄水カートリッジに付着していた水やカートリッジ挿入部内の水が周囲に飛び出そたり、浄水カートリッジがカートリッジ挿入部から飛び出す可能性がある。このため、付勢手段によって生ずる付勢力（弾性定数）が過大とならないようにすることが望ましい。
【００２０】
請求項２の発明の水栓は、請求項１に記載の水栓において、
前記付勢手段は、前記カートリッジ挿入部の内壁部と、前記浄水カートリッジとの間に介在されるコイルスプリングであることを特徴とする。
【００２１】
請求項２の発明によると、付勢手段をコイルスプリングで構成するため、付勢手段を付加することが原因で「カートリッジ挿入部内の通水路」を徒に狭くすることはない。つまり、付勢手段を、線材を加工して構成されるコイルスプリングで構成すると、付勢手段をゴムの成形品等で構成する場合に比べて、付勢手段自身に隙間部を確保することが容易である。従って、請求項２の発明によると、浄水カートリッジの交換作業の容易化を図りつつも、浄水カートリッジの浄水能力を低下させることはない。
【００２２】
請求項３の発明の水栓は、請求項１又は２に記載の水栓において、
前記吐水口部材は、前記吐水支持部材に対して螺合接続されることを特徴とする。
【００２３】
請求項３の発明では、吐水口部材を吐水支持部材に対してねじ込んで固定する接続方式を採用する。このため、付勢手段によって生ずる付勢力（弾性定数）を大きくしても、吐水口部材の回転量（吐水支持部材から取り外すための回転量）の増減に「浄水カートリッジの着脱口から出没量」を追従させることができる。従って、付勢力（弾性定数）を大きくしても、押圧部による押圧が完全に解除されたとき、浄水カートリッジがカートリッジ挿入部から勢いよく飛び出すことを防止できる。
【００２４】
請求項４の発明の水栓は、請求項１〜３の何れかに記載の水栓において、
前記取入部が前記浄水カートリッジの外周部に設けられることを特徴とする。
【００２５】
請求項４の発明では、浄水カートリッジの浄水効率を向上させつつも、浄水カートリッジの交換作業の容易化を図ることができる。つまり、浄水カートリッジの外周部に取入部を設けると、取入部の表面積が拡大して浄水カートリッジの浄水効率を向上させることができるが、その反面、浄水カートリッジの外周部に水垢等が付着し易くなる。このため、浄水カートリッジがカートリッジ挿入部の内壁に付着して、浄水カートリッジの交換作業の作業性を低下させる可能性がある。
【００２６】
これに対して、請求項４の発明では、たとえ、浄水カートリッジがカートリッジ挿入部の内壁に付着しても、付勢手段の付勢力を用いて浄水カートリッジを「カートリッジ挿入部の外側方向」に押し出すことができる。従って、請求項４の発明によると、浄水カートリッジの浄水効率を向上させつつも、浄水カートリッジの交換作業の容易化を図ることができる。
【００２７】
請求項５の発明の水栓は、請求項１〜４の何れかに記載の水栓において、
前記吐水支持部材は、前記水栓ボディから突出する状態に配設され、
前記水栓ボディ内には、給湯源に連絡される給湯路と給水源に連絡される給水路とが形成されると共に、前記給湯路を通じて供給される湯と前記給水路を通じて供給される水とを所定の混合割合にて混合し、排出口を通じて排出可能な混合弁が配設され、
前記排出口及び前記吐水口を連絡するための原水用の通水路と、前記給水路及び前記取入部を連絡するための浄水用の通水路と、が別々に設けられたことを特徴とする。
【００２８】
請求項５の発明によると、「浄水カートリッジを構成する浄化部材（浄化材）に付着していた有害物質（トリハロメタン等）が、吐水口から流出するという不具合」の発生を抑制すること（つまり、有害物質の予定外の吐水を抑制すること）ができる。以下、この点に関して、図２２及び図２３を用いて更に詳細に説明する。
【００２９】
つまり、本発明者は、前述の従来例（特開平９−２２８４３７号公報）の問題点を解決するために、図２２及び図２３に示すような水栓を完成した。この水栓は、湯と水を混合可能な混合弁８５ａを内蔵すると共に支持部８５ｂを備える水栓ボディ８５と、この支持部８５ａによって着脱支持される吐水具８６と、混合弁８５ａの排出口に対して、始端部（１次側の端部）が接続されたシャワーホース８８と、を備えている。
【００３０】
この吐水具８６は、略筒状の把持部８６ａと、頭部（シャワーヘッド）８６ｂとを備えている。また、この把持部８６ａ内には、浄水カートリッジ８６ｊが遊入（遊びを持った状態で挿入）されていると共に、「把持部８６ａにおいて、浄水カートリッジ８６ｊの配設部位よりも、１次側に位置する部位」に、シャワーホース８８の終端部（２次側の端部）が接続されている。そして、把持部８６ａの内壁部と、浄水カートリッジ８６ｊの外壁部との間に形成される環状の空間部を用いて、「原水用の吐水流路８６ｄ」が構成され、浄水カートリッジ８６ｊ内の空間部（浄化材が充填された空間部）によって、「浄水用の吐水流路８６ｅ」が構成される。
【００３１】
また、頭部８６ｂは、端部にシャワーフェイス（吐水口）８６ｋを備えると共に、吐水流路（吐水流路８６ｄ、８６ｅ）等を選択するための弁装置８６ｆを内蔵している。更に、この頭部８６ｂの外面部からは、弁装置８６ｆを操作するための操作ボタン８６ｇ、８６ｈが、複数個、露呈している。そして、「原水吐水用の操作ボタン８６ｇ」を操作すると、「シャワーホース８８を通じて供給される湯水」が、原水用の吐水流路８６ｄ、シャワーフェイス８６ｋを通じて吐水される。一方、「浄水吐水用の操作ボタン８６ｈ」を操作すると、「シャワーホース８８を通じて供給される湯水」が、浄水用の吐水流路８６ｅ、シャワーフェイス８６ｋを通じて吐水される。
【００３２】
このように、この図２２及び図２３に示す水栓は、吐水具８６の先端の操作ボタン８６ｇ、８６ｈによって、シャワーフェイス８６ｋから吐水する湯水の種類（浄水と原水）を切り換える構造を備える。また、「原水用の吐水流路８６ｄ」及び「浄水用の吐水流路８６ｅ」の直前までの通水路が、「１本のシャワーホース８８」で構成されている。このため、例えば、「混合弁８５ａから湯を排出させ、シャワーホース８８から吐水具８６に湯を供給している状態で、操作ボタン８６ｇ、８６ｈの操作を間違った場合」や、「シャワーホース８８内に湯が滞留している場合」等においては、「浄水カートリッジ８６ｊの取入口８６１ｊ」から「浄水カートリッジ８６ｊ内部」に向かって湯が進入することがある。
【００３３】
かかる場合、この湯が、浄水カートリッジ８６ｊを通過して、シャワーフェイス８６ｋから吐水されることとなるが、その際、以下の不具合を生ずることがある。つまり、「浄水カートリッジ８６ｊを構成する浄化部材（活性炭等）に既に付着していた（吸着されていた）有害物質（トリハロメタン等）」が、浄水カートリッジ８６ｊ内を通過する湯と共に、シャワーフェイス８６ｋから流出してしまう、不具合を生ずる可能性がある。
【００３４】
これに対して、請求項５の発明では、原水用の通水路と、浄水用の通水路とが隔離され、各々が専用の通水路とされるため、「原水用の通水路を通過する湯水」が、浄水カートリッジの取入部（例えば、取入口）に流入することはない。換言すると、給水路を経て「浄水用の通水路」に流入した「水」のみが、浄水カートリッジの取入部に流入することになる。従って、請求項５の発明の水栓によると、「浄水カートリッジを構成する浄化材に付着していた有害物質（トリハロメタン等）が、吐水口から流出するという不具合」の発生を抑制すること（つまり、有害物質の予定外の吐水を抑制すること）ができる。
【００３５】
請求項５の発明においては、混合弁（つまり、温度調節用の弁装置）の態様は種々選択でき、摺動ディスクタイプ、サーモスタットタイプ、２ハンドルタイプ等の種々の混合弁を例示できる。また、この混合弁は、（ｉ）「原水」の吐止水の選択を行うものであってもよいし、（ｉｉ）「原水の吐止水の選択」及び「原水の吐水量の選択」を行うものであってもよい。また、混合弁の２次側（原水用の通水路の途中、若しくは、吐水口の部分等）に配設された弁装置（吐止水弁）によって、（ｉ）「原水」の吐止水の選択を行ったり、（ｉｉ）「原水の吐止水の選択」及び「原水の吐水量の選択」を行ってもよい。尚、これらの点（適用可能な混合弁の態様、機能等）に関しては、請求項１〜４の発明の水栓が湯水混合水栓である場合においても同様である。
【００３６】
請求項５の発明においては、「浄水用の通水路」の１次側の端部を、給水路の中間部に常時連通させると共に、浄水用の通水路の中間部に、「浄水用の弁装置」を配設してもよい。この場合、「浄水用の弁装置」に操作（開閉操作）を施すこととで、（ｃ）「浄水の吐止水の選択」を行ったり、（ｄ）「浄水の吐止水の選択」及び「浄水の吐水量の選択」を行うこととしてもよい。つまり、この「浄水用の弁装置」に操作（開閉操作）を施すこととで、（ｃ）「浄水用の通水路において、浄水用の弁装置の１次側に位置する部位」と、「浄水用の弁装置において、浄水用の弁装置の２次側に位置する部位」と、を択一的に連通させることとしてもよいし、（ｂ）「浄水用の通水路において、浄水用の弁装置の１次側に位置する部位」と、「浄水用の弁装置において、浄水用の弁装置の２次側に位置する部位」との連通度合いを調節すること（非連通とすることも含む。）としてもよい。
【００３７】
この「浄水用の弁装置」を用いる態様では、混合弁の１次側に、「常時、必要な量、給水圧の水」が待機しているため、「所定温度の混合水の吐水」を試みようとする場合、吐水口から吐水される混合水の温度を、直ぐに、所望の温度とすることができる。つまり、混合水の吐水の初期段階において、吐水口から、「予定外の熱湯（給湯源から供給されたままの湯、若しくは、それに近い温度の湯）」が吐水されることがない。
【００３８】
また、請求項５の発明においては、給水路の中間部に、「給水路用の弁装置」を配設してもよい。つまり、給水路を、この中間部よりも１次側に位置する「１次側の給水路部」と、この中間部よりも２次側に位置する「２次側の給水路部」とに、便宜上、分けて考える。また、「１次側の給水路部」と、「２次側の給水路部」とを、「給水路用の弁装置」で接続すると共に、この「給水路用の弁装置」に、「浄水用の通水路」の一次側の端部を接続する。そして、この「給水路用の弁装置」に操作（開閉操作）を施すこととで、（ａ）「浄水の吐止水の選択」を行ったり、（ｂ）「浄水の吐止水の選択」及び「浄水の吐水量の選択」を行うこととしてもよい。つまり、この「給水路用の弁装置」に操作（開閉操作）を施すこととで、（ａ）１次側の給水路部と、浄水用の通水路とを択一的に連通させることとしてもよいし、（ｂ）１次側の給水路部と、浄水用の通水路との連通度合いを調節すること（非連通とすることも含む。）としてもよい。
【００３９】
この「給水路用の弁装置」としては、（Ａ）１次側の給水路部と２次側の給水路部とを連通させ、１次側の給水路部と浄水用の通水路とを非連通とする状態と、（Ｂ）１次側の給水路部と２次側の給水路部とを非連通とし、１次側の給水路部と浄水用の通水路と連通させる状態と、を択一的に実現する「切換弁」という。）」を例示できる。但し、この「給水路用の弁装置」は、１次側の給水路部と２次側の給水路部とを常時連通させつつ、１次側の給水路部と浄水用の通水路とを連通させたり、非連通とする「切換弁（以下、「後者の切換弁」という。）」であってもよい。尚、「後者の切換弁」によると、前述の「浄水用の弁装置を用いる態様」と同様に、２次側の給水路部に、「常時、必要な量、給水圧の水」が待機しているため、「所定温度の混合水の吐水」を試みようとする場合、吐水口から吐水される混合水の温度を、直ぐに、所望の温度とすることができる。            
【００４０】
次に、請求項５の発明に関連する発明（以下、「関連発明」という。）について説明する。
【００４１】
関連発明１の水栓は、請求項５に記載の水栓において、
前記取出部及び前記吐水口を連絡する吐水路と、前記原水用の通水路とが所定の合流部において合流すると共に、
前記取出部と、前記合流部との間に逆止弁が配設されたことを特徴とする。
【００４２】
関連発明１では、吐水路において、合流部と吐水口との間に位置する部分（以下、「共用路」という。）を、原水及び浄水が通過する。つまり、吐水部材の「内部流路の一部」を、原水吐水用及び浄水吐水用として兼用するため、その分、吐水部材の構造の簡略化を図ることができる。しかも、請求項２の発明では、逆止弁を備えるため、「共用路」内の原水が、「浄水カートリッジ」に向かって逆流することが防止できる。つまり、請求項２の発明によると、吐水部材の構造の簡略化を図りつつ、「原水の浄水カートリッジへの逆流」を防止することができる。
【００４３】
関連発明２の水栓は、請求項５に記載の水栓において、
前記取出部及び前記吐水口を連絡する吐水路が、前記原水用の通水路と分離されて設けられていることを特徴とする。
【００４４】
関連発明２では、吐水路と、原水用の通水路とが分離されているため、「原水用の通水路内の原水が、浄水カートリッジに向かって逆流すること」を確実に防止できる。
【００４５】
関連発明３の水栓は、請求項５の発明、関連発明１及び関連発明２のうちの何れかの発明に係る水栓において、
前記水栓ボディは、上がり傾斜状に突出して、前記吐水支持部材の基端部を挿嵌状に支持するボディ側支持部を具備し、
該ボディ側支持部の内部空間が隔壁を用いて、前記原水用の通水路の一部を構成する第１の通水路部と、前記浄水用の通水路の一部を構成する第２の通水路部とに区画され、
前記浄水カートリッジは、流入口を具備する外郭ケースに挿入された状態で前記吐水部材に遊入され、
前記流入口と前記第２の通水路部とが水密状に連結され、外郭ケースの外壁部と前記吐水部材の内壁部との間に形成された空間部が、前記第１の通水路部に水密状に連通することを特徴とする。
【００４６】
関連発明３によると、「外郭ケース」を用いて、「原水用の通水路と、浄浄化材とを隔離するための隔壁」を構成する。従って、関連発明３によると、「吐水部材の内部空間を区画するための隔壁」を吐水部材に形成したり、吐水部材を２重管構造とすること等が必要とされないため、吐水部材の内部構造の簡略化を図ることができる。
【発明の効果】
【００４７】
以上のように、請求項１〜５の各発明によると、浄水カートリッジを内蔵しつつ、外観（見栄え）が良く、設置スペースの省スペース化を図ることができると共に、メンテナンスの円滑化を図ることができる水栓を得ることができる。
【発明を実施するための最良の形態】
【００４８】
次に、本各発明に係わる「水栓」の最良の形態（以下、「実施例」という。）を図面に従って詳細に説明する。尚、本実施例では、各請求項の発明の水栓の具体例として湯水混合水栓Ｓについて説明する。
【００４９】
この湯水混合水栓Ｓは、図１〜図３を用いて示すように、水栓ボディ１０と、第１の摺動弁装置３０と、第２の摺動弁装置５０と、吐水具６０と、浄水カートリッジ７０と、コイルスプリングＢとを備えている。尚、図４に示すように、この湯水混合水栓Ｓは、デッキ部（流し台の天板等）ｄ上に設置されて用いられる。また、給湯源Ｈ（給湯配管の端末部）と、給水源Ｃ（給水配管の端末部）は、デッキ部（流し台の天板等）ｄの下方に到達している。
【００５０】
水栓ボディ１０は鋳物を用いて構成され、図１に示すように、略円柱形の外形を備える本体部１１と、略筒状となりつつ、本体部１１の外周部から上がり傾状に突出する支持部１２と、略筒状とされつつ、本体部１１の外周部から側方に突出する取付部（図３及び図６を参照）１３と、を備えている。また、図３に示すように、支持部１２の外周部には雄ねじ部１２ａが設けられている。
【００５１】
図３に示すように、支持部１２の内部空間は、隔壁１２ｂを用いて上下に分割されている。つまり、支持部１２の内部空間は、隔壁１２ｂの上方に位置する空間部分（以下、「上方空間部」という。）１２ｕと、隔壁１２ｂの下方に位置する空間部分（以下、「下方空間部」という。）１２ｄとに分けられている。尚、この隔壁１２ｂは、関連発明３の「隔壁」の具体例を構成する。また、「上方空間部」１２ｕによって、関連発明３の「第１の通水路部」の具体例が構成され、「下方空間部」によって、関連発明３の「第２の通水路部」の具体例が構成される。
【００５２】
「上方空間部１２ｕ」の全体が、支持部１２の突端部において斜め上方に開放され、下方空間部１２ｄの一部が、支持部１２の突端部において斜め上方に開放されている。つまり、下方空間部１２ｄは、「支持部１２の軸心位置に設けられた略円柱状の被接続部１２ｅ」によって、斜め上方に開放されている。また、下方空間部１２ｄの残りの部分（被接続部１２ｅの設けられていない部分）には、略扇形状の蓋部１２ｆが配設されている。更に、被接続部１２ｅの中間部には装着溝が設けられ、この装着溝には、シール部材（パッキン等）１２ｐが装着されている。
【００５３】
図４に示すように、水栓ボディ１０の内部には、給湯路２０と、給水路２１と、分岐流路２３と、排出流路２５とが設けられている。尚、本実施例では、水栓ボディ１０内に設けられる空洞部（空間部）によって、内部流路（給湯路２０、給水路２１、分岐流路２３、排出流路２５）を形成するが、ホース、パイプ等の配管用部品を用いて水栓ボディ１０の内部流路を構成することもできる。
【００５４】
図４に示すように、給湯路２０は、１次側の端部２０ａを本体部１１の下方側に配設し、２次側の端部２０ｂを本体部１１の上方側に配設している。そして、「給湯路２０の１次側の端部２０ａ」と、給湯源Ｈ（給湯配管の端末部）とは、給湯用の中継ぎ管２６Ｈを介して接続されている。また、「給湯路２０の２次側の端部２０ｂ」は、後述する「第１の摺動弁装置３０」の給湯口３０ａに接続されている。
【００５５】
図４に示すように、給水路２１も、１次側の端部２１ａを本体部１１の下方側に配設し、２次側の端部２１ｂを本体部１１の上方側に配設している。そして、「給水路２１の１次側の端部２１ａ」と、給水源Ｃ（給湯配管の端末部）とは、給水用の中継ぎ管２６Ｃを介して接続されている。また、「給水路２１の２次側の端部２１ｂ」は、後述する「第１の摺動弁装置３０」の給水口３０ｂに接続されている。
【００５６】
第１の摺動弁装置３０は、「混合弁」の具体例を構成するものであり、図３に示すように、本体部１１の上端部側に配設されている。また、第１の摺動弁装置３０の「排出口３０ｃ」は、図４に示すように、排出流路２５の一次側の端部２５ａに接続されている。この第１の摺動弁装置３０は、図３に示すように、固定弁体３１と、固定弁体３１上で摺動する可動弁体３２とを備えている。
【００５７】
第１の摺動弁装置３０は、本体部１１の上方に装着された操作レバー（図１を参照）３５を用いて操作される。そして、この第１の摺動弁装置３０は、給湯路２０を通じて供給される湯と、給水路２１を通じて供給される水とを所定の混合割合にて混合し、排出口３０ｃを通じて、排出流路２５に排出可能である。また、第１の摺動弁装置３０は、給湯路２０から供給される湯を、そのまま、排出流路２５に排出したり、給水路２１から供給される水を、そのまま、排出流路２５に排出することもできる。
【００５８】
排出流路２５は、図３及び図４に示すように、第１の摺動弁装置３０を起点として（１次側の端部として）下降する流路部２５ａと、上方空間部１２ｕ（第１の流路部２５ｂ）と、によって構成されている。この排出流路２５の「２次側の端部２５ｄ」は、「上方空間部１２ｕの上端部（開口部）」によって構成されている（図３を参照）。
【００５９】
分岐流路２３は、「浄水用の通水路Ｊ」の具体例を構成するものであり、図５に示すように、１次側の端部２３ａを給水路２１の中間部に接続し、２次側の端部２３ｂを「下方空間部１２ｄの上端部（開口部）」によって構成している（図３を参照）。また、図６に示すように、取付部１３の内部空間１３ａによって、分岐流路２３の一部（１次側の端部２３ａに近接する部位）を構成している。尚、以下の説明において、この分岐流路２３において内部空間１３ａよりも１次側に位置する部位を、弁前流路部２３ｃと称し、内部空間１３ａよりも２次側に位置する部位を、弁後流路部２３ｄと称することがある。
【００６０】
第２の摺動弁装置５０は、図６に示すように、取付部１３（内部空間１３ａ）に装着されている。この第２の摺動弁装置５０は、ハウジング５１と、ハウジング５１内に配置される固定弁体５２と、固定弁体５２に対して摺動可能な可動弁体５３とを備えている。
【００６１】
ハウジング５１は、導入口５１ａと導出口５１ｂとを備え、導入口５１ａは、弁前流路部２３ｃに向かって開口し（弁前流路部２３ｃと接続され）、導出口５１ｂは、弁後流路部２３ｄに向かって開口している（弁後流路部２３ｄと接続されている。）。
【００６２】
第２の摺動弁装置５０は、取付部１３の側方に配置されるハンドル５０ｈを用いて操作される。これにより、給水路２１と弁後流路部２３ｄとを遮断し、給水路２１から弁後流路部２３ｄに水が流入することを停止させたり、給水路２１と弁後流路部２３ｄとを連通させ、給水路２１から弁後流路部２３ｄに水を流入させる。また、弁前流路部２３ｃと弁後流路部２３ｄとの連通度合いを調節することで、給水路２１から弁後流路部２３ｄに流入する水量の調節が行われる。
【００６３】
吐水具６０は、図７に示すように、把持部６１と頭部６２とを備えている。また、この吐水具６０は、その後端部を支持部１２によって支持されて水栓ボディ１０から突出する状態（斜め上がり傾斜状に突出する状態）に配設されている。尚、この吐水具６０及びその構成部材においては、水栓ボディ１０に「近接する側（つまり、通水方向に沿った１次側）」を「後」と称し、「水栓ボディ１０から離間する側（つまり、通水方向に沿った２次側）」を「前」と称することがある。例えば、水栓ボディ１０に「近接する側の端部」を「後端部」と称し、「水栓ボディ１０から離間する側の端部」を「前端部」と称することがある。
【００６４】
把持部６１は、吐水支持部材の具体例を構成する部材であり、図７に示すように、外筒体６５と内筒体６６とを備えている。このうち、外筒体６５は、図８に示すように、把持部６１の外郭部を構成する部材であり、外径が軸心方向に略一定とされた略円筒体を用いて構成されている。この外筒体６５の内径は、外筒体６５の後端部（下端部）において段差状に小さくされているが、外筒体６５のその他の部位においては略一定とされている。また、外筒体６５の後端部（下端部）の内壁部には、支持部１２の雄ねじ部１２ａに螺合可能な雌ねじ部６５ａが設けられている。
【００６５】
内筒体６６は、図８及び図９に示すように、有底の略円筒形状に構成され、後端部（下端部）に底部６６ａを配置している。この内筒体６６は、外筒体６５の内側に挿入されると共に、その内部空間によって「カートリッジ挿入部Ｋ」の具体例を構成する。
【００６６】
図１０及び図１１に示すように、底部６６ａの中心部（内筒体６６の軸心が通過する位置）には、「略円筒状の接続部６６ｃ」が貫通状態に設けられている。つまり、この接続部６６ｃは底部６６ａの外側面（内筒体６６の表側に位置する面）と、底部６６ａの内側面（内筒体６６の内側に位置する面）との双方において略円筒状に突出しつつ内筒体６６の内外を連通させている。また、この接続部６６ｃは、前述の被接続部１２ｅを嵌入可能なサイズとされている（図７を参照）。尚、この接続部６６ｃは、水栓ボディ１０から分岐流路２３を介して供給される水を、内筒体６６の内部（つまり、カートリッジ挿入部Ｋ）に受け入れるための「受入口」を構成する。
【００６７】
図１０（ａ）及び図１１（ａ）に示すように、底部６６ａの外側面において接続部６６ｃの周囲に位置する箇所には、位置決め部６６ｄが突出している。この位置決め部６６ｄには、突端部で開口する位置決め穴６６ｅが設けられている。尚、この位置決め穴６６ｅに対して、支持部１２に設けられた位置決め用突起（図示を省略）に嵌合することで、内筒体６６が支持部１２に対して、内筒体６６の軸心回りに位置決めされた状態となる。
【００６８】
図１０（ｂ）及び図１１（ｂ）に示すように、底部６６ａの内側面において接続部６６ｃの周囲に位置する２箇所からは、略円弧状の突起部６６ｆ、６６ｆが突出している。また、図９及び図１０に示すように、内筒体６６の外周面のうちで後端部側に位置する部位からは、４個のリブ６６ｈが突出している。これらのリブ６６ｈは内筒体６６の半径外側方向に突出すると共に、内筒体６６の外周面を周回する方向に沿って等間隔に設けられている。尚、４個のリブ６６ｈの突端部を通過する円（仮想的な円）の直径は、外筒体６５の内径より僅かに小さくされている。
【００６９】
図８及び図９に示すように、内筒体６６の前端側の部位は、内径及び外径が段差状に大きくされた大径部６６ｋとされている。この大径部６６ｋは、前述の外筒体６５に嵌合可能なサイズとされている（図７を参照）。また、内筒体６６の外周部において、大径部６６ｋの後方に位置する部位には鍔部６６ｍが形成され、大径部６６ｋの後端部と、鍔部６６ｍとに形成される隙間部よって、内筒体６６の外周部を周回する装着溝を構成している。そして、この装着溝には、シール部材（パッキン）６６ｐが装着されている。
【００７０】
図９に示すように、内筒体６６において、シール部材６６ｐの後方の部位（直後の部位）には連通孔６６ｒが設けられている（図１３も参照）。この連通孔６６ｒは、内筒体６６をその肉厚方向に貫通しつつ、略円弧状の開口形状を備えている。また、図８に示すように、大径部６６ｋの内壁には、雌ネジ部６６ｓが形成されている。この雌ネジ部６６ｓは後述する頭部６２を把持部６１（内筒体６６）に接続するために用いられる。
【００７１】
このように構成される把持部６１（外筒体６５及び内筒体６６）は、水栓ボディ１０に対して以下のように装着されている。先ず、内筒体６６の接続部６６ｃを被接続部１２ｅに嵌入することで、内筒体６６が水栓ボディ１０に装着される。これにより、内筒体６６が水栓ボディ１０から「斜め上がり傾斜状」に突出する状態とされると共に、分岐流路２３と、内筒体６６の内部（カートリッジ挿入部Ｋ）とが連通する（図７を参照）。このとき、接続部６６ｃ及び被接続部１２ｅ間の水密性がシール部材（パッキン等）１２ｐによって確保される。また、位置決め穴６６ｅに対して支持部１２の位置決め用突起（図示を省略）が嵌合され、内筒体６６がその軸心回りに位置決めされた状態とされる。
【００７２】
この後、外筒体６５の内部に内筒体６６を挿入しつつ、雌ねじ部６５ａを支持部１２の雄ねじ部１２ａに螺合することで、この外筒体６５が水栓ボディ１０に装着される（図７を参照）。このとき、内筒体６６の４個のリブ６６ｈの突端部が「外筒体６５の内壁部の下端側」に当接すると共に、大径部６６ｋが「外筒体６５の内壁部の上端側」に当接することで、外筒体６５及び内筒体６６の軸心位置が揃えられると共に、内筒体６６の「がたつき」の防止が図られる（図１０を参照）。そして、外筒体６５の内壁部と内筒体６６の外壁部との間には環状の空間部（以下、「中間通水路部」という。）６７が形成される。この中間通水路部６７は、「原水用の通水路Ｇの中間部」を構成する部分であり、その「１次側の端部（後端部）」が、前述の上方空間部（第１の通水路部）１２ｕに連通している。
【００７３】
このように、外筒体６５を水栓ボディ１０に装着すると、内筒体６６の前端側の開口部が、外筒体６５の前端側の開口部よりも僅かに後退する位置に配置される。このため、本実施例では、外筒体６５の前端側の開口部によって「着脱口Ｍ」の具体例が構成される（図７を参照）が、各請求項の発明では、本実施例と異なり、内筒体６６の前端側の開口部によって「着脱口Ｍ」の具体例を構成することもできる。尚、把持部６１に頭部６２が装着されると、中間通水路６７の「２次側の端部（前端部）」が、内筒体６６の連通孔６６ｒを介して原水吐水路６２ｍ（後述する。）に接続される。また、分岐流路２３及びカートリッジ挿入部Ｋは、浄水吐水路６２ｎ（後述する。）に接続される。
【００７４】
浄水カートリッジ７０は、図７に示すように、略円柱状の外形を備え、軸心を内筒体６６（カートリッジ挿入部Ｋ）の軸心に揃えた状態で、カートリッジ挿入部Ｋ内に挿入されている。この浄水カートリッジ７０は、図８に示すように、略円柱状に構成される浄化部材（浄化材）７２ｊと、浄化部材７２ｊの前半側を被覆する外装体７２ａとを備えている。また、外装体７２ａは、前端部に蓋部７２ｃを備える略円筒状に構成されている。この蓋部７２ｃの略中心部には、外装体７２ａの内外を連通させる取出口７２ｆが形成されている。そして、この取出口７２ｆは、浄水カートリッジ７０の「取出部」の具体例を構成する。この取出口７２ｆは、浄化部材７２ｊから離間する方向に突出する略円筒状に形成されている。また、取出口７２ｆの外周部には周回溝が設けられ、この周回溝にはシール部材（パッキン等）７２ｐが装着されている。
【００７５】
また、浄化部材７２ｊの後端面には、円板状の板部材７２ｄが装着されている。そして、板部材７２ｄには、その肉厚方向に連通する取入口７２ｅが形成されている。この取入口７２ｅは浄化部材７２ｊから離間する方向に突出する略円筒状に形成されている。そして、浄化部材７２ｊの外周部のうちで外装体７２ａで被覆されていない部分（浄化部材７２ｊの外周部の後半側）７２１ａと、取入口７２ｅとは、夫々浄水カートリッジ７０の「取入部」の具体例を構成する。
【００７６】
浄化部材（浄化材）７２ｊは、「前半部（吐水口に近接する側の部分）を構成しつつ、外装体７２ａで被覆される中空糸膜」と、「後半部（吐水口に離間する側の部分）を構成する繊維状活性炭」と、を備える。但し、繊維状活性炭は、その外周部を不織布を用いたフィルタ７２ｇにより被覆された状態とされている。
【００７７】
コイルスプリングＢは、図７に示すように、浄水カートリッジ７０をカートリッジ挿入部Ｋ（内筒体６６）に挿入する際に、浄水カートリッジ７０の後端面（板部材７２ｄ）と内筒体６６の底部６６ａとの間に圧縮状態で介在されて、浄水カートリッジ７０をカートリッジ挿入部Ｋの外側に付勢するためのものである。このコイルスプリングＢは後端部を底部６６ａに当接させると共に、前端部を浄水カートリッジ７０の後端面に当接させ、更に後端側に突起部６６ｆ、６６ｆを挿入した状態で、浄水カートリッジ７０の後端面（板部材７２ｄ）と内筒体６６の底部６６ａとの間に介在されている。つまり、コイルスプリングＢの後端部側は、内筒体６６の内周部と突起部６６ｆ、６６ｆの外周部との間の空間部に挿入された状態とされている（図１４及び図１５を参照）。
【００７８】
本実施例では、「コイルスプリングＢの自由高さ（Ｈ）」と「浄水カートリッジ７０の軸心長（ｈ）」との和が、「内筒体６６の底部６６ａと着脱口Ｍとの距離（Ｔ）」よりも大きくされている｛図２０（ａ）を参照｝。このため、浄水カートリッジ７０に外力（後述する頭部６２からの押圧力）が負荷されない場合、浄水カートリッジ７０の前端部が着脱口Ｍを通じて把持部６１外へ露呈するものとされている。
【００７９】
頭部６２は、吐水口部材の具体例を構成するものであり、図１２に示すように、本体部６２ａと、本体部６２ａの前端側から垂下する原水吐水管６２ｂと、本体部６２ａの前端側から垂下する浄水吐水管６２ｃと、本体部６２ａの後端部に接続されるジョイント部６２ｄとを備えている。このうち、本体部６２ａの内部には、原水吐水路６２ｍと浄水吐水路６２ｎとが隔壁で区画された状態に形成されている。また、原水吐水管６２ｂは１次側の端部を原水吐水路６２ｍの２次側の端部に接続し、２次側の端部（下端部）を外部に開放している。そして、この原水吐水管６２ａの２次側の端部（下端部）によって原水吐水口６２ｗが構成される。また、浄水吐水管６２ｃは１次側の端部を浄水吐水路６２ｎの２次側の端部に接続し、２次側の端部（下端部）を外部に開放している。そして、この浄水吐水管６２ｃの２次側の端部（下端部）によって浄水吐水口６２ｖが構成される。尚、原水吐水口６２ｗ及び浄水吐水口６２ｖは「吐水口」の具体例を構成する。
【００８０】
本体部６２ａの後端側の外周面には、前述の雌ネジ部６６ｓ（大径部６６ｋの雌ネジ部６６ｓ）に螺合可能な雄ネジ部６２ｈが形成されている。また、本体部６２ａの外周面において、雄ネジ部６２ｈの直後に位置（雄ネジ部６２ｈよりも後方の位置）には周回溝が設けられ、この周回溝にはシール部材（パッキン）６２ｉが装着されている。
【００８１】
ジョイント部６２ｄは本体部６２ａの後端部に挿入させて本体部６２ａと一体化されている。このジョイント部６２ｄは、蓋付きの略円筒形状に構成されるジョイント本体６２ｑと、ジョイント本体６２ｑの後端部側の外周面から突出する鍔部６２ｒと、ジョイント本体６２ｑの前端面（蓋部）から突出する挿入筒６２ｓとを備えている。この挿入筒６２ｓは軸心をジョイント本体６２ｑの軸心から偏心させていると共に、内部空間をジョイント本体６２ｑの内部空間に連通させている。また、挿入筒６２ｓの外周部の周回溝にシール部材（パッキン）６２ｔが装着され、このシール部材（パッキン）６２ｔを用いて浄水吐水路６２ｎの１次側の端部と挿入筒６２ｓとの間の水密状が確保されている。また、鍔部６２ｒには周回溝が設けられ、この周回溝にもシール部材（パッキン）６２ｕが装着されている。そして、この「シール部材（パッキン）６２ｕが装着された状態の鍔部６２ｒ」は、「内筒体６６において大径部６６ｋの奥側（後側）に位置する部位」に嵌合可能なサイズとされる。
【００８２】
この頭部６２は、「シール部材６２ｕが装着された状態の鍔部６２ｒ」を「内筒体６６において大径部６６ｋの奥側（後側）に位置する部位」に嵌合しつつ（つまり、鍔部６２ｒを内筒体６６に水密状に挿入しつつ）、雄ネジ部６２ｈを雌ネジ部６６ｓに螺合することで把持部６１に接続されて一体化される。この際、鍔部６２ｒの後端面Ｅが、浄水カートリッジ７０を「カートリッジ挿入部Ｋの内側方向」に押圧するため、底部６６ａと浄水カートリッジ７０の後端部（底面）とでコイルスプリングＢが圧縮され、撓んだ状態（圧縮状態）となる（図７を参照）。この鍔部６２ｒの後端面Ｅは「押圧部」の具体例を構成する。また、頭部６２が把持部６１に接続されると、「浄水カートリッジ７０の取出口７２ｆ」が鍔部６２ｒに内側に嵌合される。この嵌合は取出口７２ｆに装着されたシール部材（パッキン等）７２ｐの弾性を用いて圧入状態で行われるため、シール部材（パッキン等）７２ｐが十分な弾性を有していれば（劣化していなければ）、浄水カートリッジ７０は頭部６２に対して、しっかりと接続された状態となる。尚、頭部６２を把持部６１に接続する作業は、（１）予め内筒体６６の内部（カートリッジ挿入部Ｋ）に浄水カートリッジ７０を挿入した状態で、頭部６２を把持部６１に螺合することによって行われてもよいし、（２）頭部６２に浄水カートリッジ７０を取り付けた後、この浄水カートリッジ７０と一体の頭部６２を把持部６１に螺合することによって行われてもよい。
【００８３】
このように、頭部６２を把持部６１に接続すると、図１２及び図１３に示すように、中間通水路６７の「２次側の端部」が、内筒体６６の連通孔６６ｒを介して原水吐水路６２ｍに接続されると共に、カートリッジ挿入部Ｋがジョイント部６２ｄを介して浄水吐水路６２ｎに接続される。これにより、本水栓Ｓは使用可能な状態となる。
【００８４】
本実施例においては、図４に示すように、「原水用の通水路Ｇ」が「水栓ボディ１０内の排出流路２５（流路部２５ａ及び流路部２５ｂ）」と、中間通水路部６７と、原水吐水路６２ｍと、原水吐水管６２ｂとを備えて構成される。そして、操作レバー３５を用いて、第１の摺動弁装置３０に開弁操作を施すと、「原水用の通水路Ｇを通過した原水Ａ」が、原水吐水口６２ｗから吐水される。
【００８５】
また、図５に示すように、「浄水用の通水路Ｊ」は、水栓ボディ１０内の分岐流路２３によって構成され、この浄水用の通水路Ｊの２次側の端部（被接続部１２ｅ）は、内筒体６６の流入口（接続部６６ｃ）に水密状に接続されている。このため、本湯水混合水栓Ｓにおいては、「原水用の通水路Ｇ」と、「浄水用の通水路Ｊ」とは、隔離された状態（略水密状に隔離された状態）とされている。そして、ハンドル５０ｈを用いて、第２の摺動弁装置５０に開弁操作を施すと、「浄水用の通水路Ｊを通過した水」は、浄水カートリッジ７０内を通過して浄水Ｄになった後、ジョイント部６２ｄの内部空間、浄水吐水路６２ｎ、浄水吐水管６２ｃを経て浄水吐水口６２ｖから吐水される。
【００８６】
本実施例では、浄水カートリッジ７０の交換を行う場合、先ず、雄ネジ部６２ｈの雌ネジ部６６ｓに対する螺合を解除して頭部６２を把持部６１から取り外す。このとき、「取出口７２ｆに装着されたシール部材（パッキン等）７２ｐが未だ劣化しておらず、十分な弾性を有しており、しかも、浄水カートリッジ７０が内筒体６６に付着しようとしない場合」には、図１４に示すように、浄水カートリッジ７０を頭部６２と一体で把持部６１から取り外すことができる。換言すると、「シール部材（パッキン等）７２ｐの弾性を用いて、取出口７２ｆの鍔部６２ｒへの圧入状態が確保され、しかも、水垢等の影響で浄水カートリッジ７０が内筒体６６に付着してようとしない場合」には、「浄水カートリッジ７０を一体的に保持した状態の頭部６２」を把持部６１から取り外すことができる。
【００８７】
一方、雄ネジ部６２ｈの雌ネジ部６６ｓに対する螺合を解除して頭部６２を把持部６１から取り外したときに、シール部材（パッキン等）７２ｐが劣化してその弾性が低下していたり、浄水カートリッジ７０が内筒体６６に付着しようとする場合等には、図１５に示すように、頭部６２のみが把持部６１から取り外される。つまり、浄水カートリッジ７０をカートリッジ挿入部Ｋに残した状態で頭部６２のみが把持部６１から取り外される。
【００８８】
但し、この場合においては、「浄水カートリッジ７０への鍔部６２ｒの後端面Ｅ（押圧部）の押圧」が解除されるため、浄水カートリッジ７０はコイルスプリングＢの弾性（復元力）を用いてカートリッジ挿入部Ｋの外側へ押し出される（付勢される）。このため、浄水カートリッジ７０の前端部が着脱口Ｍを通じて把持部６１外へ露呈する状態とされる。従って、作業者は、この浄水カートリッジ７０の前端部を摘んで浄水カートリッジ７０をカートリッジ挿入部Ｋから取り出して、新たなものに交換することができる。
【００８９】
本実施例によると、把持部６１（吐水支持部材）内に浄水カートリッジ７０を配設するため、浄水カートリッジ７０を水栓ボディ１０に外付けすることが必要とされない。このため、外観（見栄え）が良く、設置スペースの省スペース化を図ることができる。また、本実施例の湯水混合水栓Ｓによると、浄水カートリッジ７０の交換作業を円滑に行うことができるため、メンテナンスの円滑化を図ることができる。即ち、頭部（吐水口部材）６２を把持部６１から取り外したときに、たとえ、浄水カートリッジ７０がカートリッジ挿入部Ｋに残ったとしても、頭部（吐水口部材）６２を取り外した段階で、「浄水カートリッジ７０に対する頭部６２による拘束」が解除される。このため、浄水カートリッジ７０はコイルスプリング（付勢手段）８０の付勢力によって、「カートリッジ挿入部Ｋの外側」の方向に押される。換言すると、頭部６２を取り外せば、コイルスプリングＢの付勢力によって、浄水カートリッジ７０が作業者の手元に近づくため、浄水カートリッジ７０の交換作業を円滑に行うことができ、湯水混合水栓Ｓのメンテナンスの円滑化を図ることができる。
【００９０】
また、本実施例では、付勢手段をコイルスプリングＢで構成するため、付勢手段を付加することが原因で「カートリッジ挿入部Ｋ内の通水路」を徒に狭くすることはない。従って、本実施例によると、浄水カートリッジ７０の交換作業の容易化を図りつつも、浄水カートリッジ７０の浄水能力を低下させることない。
【００９１】
更に、本実施例では、頭部６２を把持部６１に対してねじ込んで固定する接続方式を採用する。このため、コイルスプリングＢによって生ずる付勢力を大きくしても、頭部６２の回転量（把持部６１から取り外すための回転量）の増減に、「浄水カートリッジ７０の着脱口Ｍから出没量」を追従させることができる。従って、コイルスプリングＢの付勢力を大きくしても、押圧部（鍔部６２ｒの後端面Ｅ）による押圧が完全に解除されたときに、浄水カートリッジ７０がカートリッジ挿入部Ｋから勢いよく飛び出すことはない。
【００９２】
また、本実施例では、浄水カートリッジ７０の浄水効率を確保しつつも、浄水カートリッジ７０の交換作業の容易化を図ることができる。つまり、本実施例では、浄水カートリッジ７０がカートリッジ挿入部Ｋの内壁に付着しても、コイルスプリングＢの付勢力を用いて浄水カートリッジ７０をカートリッジ挿入部Ｋの外側方向に押し出すことができる。このため、浄水カートリッジ７０の外周部にも、取入部（７２１ａ）を設け、取入部（７２ｅ、７２１ａ）の総表面積を積極的に拡大して浄水カートリッジ７０の浄水効率を向上させている。
【００９３】
更に、本実施例の湯水混合水栓Ｓにおいては、原水用の通水路Ｇと浄水用の通水路Ｊとが隔離され、各々が専用の通水路とされるため、「原水用の通水路Ｇを通過する湯水」が、浄水カートリッジ７０の取入口７２ｅに流入することはない。換言すると、給水路２１を経て「浄水用の通水路Ｊ」に流入した「水」のみが、浄水カートリッジ７０の取入口７２ｅに流入することになる。従って、本実施例の湯水混合水栓Ｓによると、「浄水カートリッジ７０を構成する浄化部材７２ｊに付着していた有害物質（トリハロメタン等）が浄水吐水口６２ｖから流出するという不具合」の発生を抑制することができる。
【００９４】
また、本実施例によると、「内筒体６６」を用いて、「原水用の通水路Ｇと、浄化部材７２ｊとを隔離するための隔壁を構成する。従って、吐水具６０内の内部構造の簡略化を図ることができる。
【００９５】
尚、本各発明の範囲は前記実施例に示す具体的な態様に限定されず、本各発明の範囲内で種々の変形例を例示できる。
【００９６】
即ち、本実施例では、浄水と原水とを別々の吐水口（原水吐水口６２ｗ、浄水吐水口６２ｖ）から吐水する態様を例示したが、図１６〜図１８に示す変形例１のように、浄水と原水とを共通の吐水口から吐水してもよい。即ち、この変形例１では、頭部６２の構成が異なることを除いて実施例と同様な構成を備えている。
【００９７】
つまり、変形例１においては、頭部６２の前端部を吐水フェイス１６２ｂによって構成している。この吐水フェイス１６２ｂは、中心部に位置する大型の貫通孔１６２ｃと、その周囲に位置する複数の貫通孔１６２ｄとを備える。これらの貫通孔（１６２ｃ、１６２ｄ）は、吐水フェイス１６２ｂを肉厚方向に貫通する状態に設けられ、「吐水口」の具体例を構成している。また、頭部６２の内部には共用路１６２ｊが形成され、この共用路１６２ｊは吐水フェイス１６２ｂに到達する直前の原水と、吐水フェイス６２ｂに到達する直前の浄水が通過する。つまり、共用路１６２ｊの２次側の端部は貫通孔１６２ｃ、１６２ｄ（つまり、吐水口）に接続されている。
【００９８】
この変形例１においては、中間通水路部６７の「２次側の端部（前端部）」が、中継通水路部１６８（図１７を参照）を介して、「共用路１６２ｊの１次側の端部」に接続されている。また、頭部６２の内部には、カートリッジ挿入部Ｋ（内筒体６６）と共用路１６２ｊとを接続するための浄水吐水路１６２ｔが設けられている。
【００９９】
この変形例１においては、「原水用の通水路Ｇ」が、「水栓ボディ１０内の排出流路２５（流路部２５ａ及び流路部２５ｂ）」と、中間通水路部６７と、中継通水路部１６８と、共用路１６２ｊとを備えて構成されている。そして、操作レバー３５を用いて、第１の摺動弁装置３０に開弁操作を施すと、「原水用の通水路Ｇを通過した原水Ａ」が、吐水フェイス１６２ｂから吐水される。
【０１００】
また、図１８に示すように、カートリッジ挿入部Ｋ（内筒体６６）の２次側の端部（着脱口Ｍ）は、頭部６２内の浄水吐水路１６２ｔ及び共用路１６２ｊを介して吐水フェイス１６２ｂに接続されている。このため、ハンドル５０ｈを用いて第２の摺動弁装置５０に開弁操作を施すと、「浄水用の通水路Ｊを通過した水」は、浄水カートリッジ７０内を通過して浄水Ｄになった後、浄水吐水路１６２ｔ及び共用路１６２ｊを経て吐水フェイス１６２ｂから吐水される。
【０１０１】
この変形例１によっても、実施例と同様な効果を得ることができる。また、変形例１においては、図１９に示すように、浄水カートリッジ７０の２次側（カートリッジ挿入部Ｋの２次側）に、逆止弁７８を配設してもよい（以下、図１９に示す具体例を「変形例２」という。）。つまり、この変形例２においては浄水吐水路１６２ｔと、中継通水路部１６８とが吐水ヘッド６０内の合流部Ｈ（共用路１６２ｊの１次側の端部）において合流する。そして、変形例２では、浄水吐水路１６２ｔのうちで合流部Ｈよりも１次側に位置する部位（着脱口Ｍと合流部Ｈとの間に位置する部位）に、逆止弁７８を配設している。そして、この変形例２によると、吐水ヘッド６０の構造の簡略化を図りつつ、「原水の浄水カートリッジ７０への逆流」を防止することができる。
【０１０２】
また、実施例、変形例１及び変形例２では、図２０（ａ）に示すように、コイルスプリングＢを用いて構成される付勢手段を、内筒体６６の底部６６ａと浄水カートリッジ７０の後端部（底面）と間に圧縮状態で介在する態様を例示したが、付勢手段の態様はコイルスプリングＢに限定されない。例えば、図２０（ｂ）に示す変形例３のように、ゴム若しくはエラストマー等で構成される弾性体（例えば、略筒形状の弾性体）８００で構成することもできる。この場合、弾性体８００に孔状若しくは切り欠き状の通水部８０１を設けることが望ましい。カートリッジ挿入部Ｋ（内筒体６６）内において、この通水部８０１の部分が空間部として確保され、この空間部によって十分なサイズの通水路を確保できるからである。
【産業上の利用可能性】
【０１０３】
本発明は、例えば、水栓の製造、販売、施工、加工等を行う分野で利用可能である。
【図面の簡単な説明】
【０１０４】
【図１】実施例の湯水混合水栓の概略的な側面図である。
【図２】実施例の湯水混合水栓の正面図である。
【図３】実施例の湯水混合水栓の要部縦断面図である。
【図４】実施例の湯水混合水栓の流路構造を説明するための説明図である。
【図５】実施例の湯水混合水栓の流路構造を説明するための説明図である。
【図６】第２の摺動弁装置を説明するための縦断面図である。
【図７】実施例の湯水混合水栓の要部拡大縦断面図である。
【図８】実施例の把持部の要部分解縦断面図である。
【図９】実施例の把持部を構成する内筒体の側面図である。
【図１０】（ａ）は図９の１−１断面図であり、（ｂ）は図９の２−２断面図である。
【図１１】（ａ）は図１０（ｂ）の３−３断面図であり、（ｂ）は図１０（ｂ）の４−４断面図である。
【図１２】実施例の頭部を説明するための縦断面図である。
【図１３】図１２の５−５断面図である。
【図１４】浄水カートリッジの交換方法等を説明図である。
【図１５】浄水カートリッジの交換方法等を説明図である。
【図１６】変形例１の湯水混合水栓の要部拡大縦断面図である。
【図１７】変形例１の湯水混合水栓の流路構造を説明するための説明図である。
【図１８】変形例１の湯水混合水栓の流路構造を説明するための説明図である。
【図１９】変形例２を説明するための説明図である。
【図２０】（ａ）は実施例を説明するための説明図であり、（ｂ）は変形例３を説明するための説明図である。
【図２１】本発明者が、本出願前に発明した湯水混合水栓（改良例）を説明するための説明図である。
【図２２】本発明者が、本出願前に発明した湯水混合水栓（他の改良例）を説明するための説明図である。
【図２３】本発明者が、本出願前に発明した湯水混合水栓（他の改良例）の流路構造を説明するための説明図である。
【図２４】従来例に係る湯水混合水栓を説明するための正面図である。
【符号の説明】
【０１０５】
Ｓ；湯水混合水栓、
Ｂ；コイルスプリング（付勢手段）、
Ｃ；給水源、
Ｈ；給湯源、
Ｇ；原水用の通水路、
Ｊ；浄水用の通水路（分岐流路２３）
Ｈ；合流部、
Ｋ；カートリッジ挿入部、
１０；水栓ボディ、
３０；第１の摺動弁装置（混合弁）、
１２；支持部、
１２ｄ；下方空間部（第２の通水路部）、
１２ｕ；上方空間部（第１の通水路部）、
２０；給湯路、
２１；給水路、
６０；吐水具、
６１；把持部（吐水支持部材）、
６２；頭部（吐水口部材）、
６２ｖ、６２ｗ；吐水口、
７０；浄水カートリッジ、
７１ｃ；接続部（流入口）、
７２ｊ；浄化部材、
７２ｅ；取入口（取入部）、
７２１ａ；浄化部材７２ｊの外周部のうちで外装体７２ａで被覆されていない部分（取入部）、
７２ｆ；取出口（取出部）、
７８；逆止弁。
【図１】
2008267028.tif 000003
【図２】
2008267028.tif 000004
【図３】
2008267028.tif 000005
【図４】
2008267028.tif 000006
【図５】
2008267028.tif 000007
【図６】
2008267028.tif 000008
【図７】
2008267028.tif 000009
【図８】
2008267028.tif 000010
【図９】
2008267028.tif 000011
【図１０】
2008267028.tif 000012
【図１１】
2008267028.tif 000013
【図１２】
2008267028.tif 000014
【図１３】
2008267028.tif 000015
【図１４】
2008267028.tif 000016
【図１５】
2008267028.tif 000017
【図１６】
2008267028.tif 000018
【図１７】
2008267028.tif 000019
【図１８】
2008267028.tif 000020
【図１９】
2008267028.tif 000021
【図２０】
2008267028.tif 000022
【図２１】
2008267028.tif 000023
【図２２】
2008267028.tif 000024
【図２３】
2008267028.tif 000025
【図２４】
2008267028.tif 000026